(57)【特許請求の範囲】
【請求項１】
エレベータのかごの底板の正面側の下面に、下方に突出する状態で保護板を設けたエレベータの保護板装置において、
前記かごがピット内で降下すると、前記保護板の高さ寸法が小さくなる縮小手段を設けたエレベータの保護板装置であって、
前記縮小手段は、
前記回動自在に設けられた保護板と、
前記保護板の側方に位置する支柱に設けられた前記保護板の回動を拘束するロックレバーと、このロックレバーを回動させる付勢手段と、この付勢手段により回動されるロックレバーを前記保護板の回動を拘束する略水平位置に規制する手段とを有する拘束手段と、
前記ピット内に設けられ前記かごの底板がピット内の所定の位置より降下すると前記略水平位置にあるロックレバーの他端部に当接して該ロックレバーを前記付勢方向と反対方向に回動させて前記保護板の拘束を解除する拘束解除手段と、
により構成されていることを特徴するエレベータの保護板装置。
【請求項２】
エレベータのかごの底板の正面側の下面に、下方に突出する状態で保護板を設けたエレベータの保護板装置において、
前記かごがピット内で降下すると、前記保護板の高さ寸法が小さくなる縮小手段を設けたエレベータの保護板装置であって、
前記保護板は固定板と可動板で構成されており、
前記縮小手段は、
前記固定板と、
前記固定板の後面側に位置する固定フレームと、前記ピットの床面により突き上げられると前記固定フレーム側に移動する可動フレームとからなる伸縮フレームと、
下端が前記可動フレームの下端より高い位置に取付けられている前記可動板と
により構成されていることを特徴とするエレベータの保護板装置。
【発明の詳細な説明】
【０００１】
【発明の属する技術分野】
本発明はエレベータの保護板装置に関し、最下階のピットの深さが規定値以下の場合でも、かごの下に取り付けた保護板が破損しないようにしたものである。
【０００２】
【従来の技術】
人や物を上下方向へ運ぶエレベータは、図３のように構成されている。図示しない昇降路に沿って上下方向へ移動可能にかご１が設けられている。かご１はワイヤ２に吊り下げられて昇降する。そして、各階床３の乗場とかご１との間には人が乗り降りするための開口部が形成され、開口部には扉４が設けられている。
【０００３】
かご１が降りてきたとき、かご１の底板１ａが階床３と同一高さになった後に扉４が開けば問題はないが、底板１ａが階床３と一致する前に扉４が開き始め、つま先がかご１の下に入り込み、底板１ａと階床３との間につま先を挟んでしまうことがある。
【０００４】
これを防止するため、かご１の前面側の下にはつま先が入り込むのを防止する
保護板（トーガード）１ｂが設けられている。
【０００５】
【発明が解決しようとする課題】
ところが、保護板がかごに固定されているため、昇降路のピット深さが浅くなった場合には、かごが最下階の階床位置にくると保護板がピットの床面に衝突して破損してしまうという問題がある。
【０００６】
そこで本発明は、斯かる課題を解決したエレベータの保護板装置を提供することを目的とする。
【０００７】
【課題を解決するための手段】
斯かる目的を達成するための請求項１に係る発明は、エレベータのかごの底板の正面側の下面に、下方に突出する状態で保護板を設けたエレベータの保護板装置において、前記かごがピット内で降下すると、前記保護板の高さ寸法が小さくなる縮小手段を設けたエレベータの保護板装置であって、前記縮小手段は、前記回動自在に設けられた保護板と前記保護板の側方に位置する支柱に設けられた前記保護板の回動を拘束するロックレバーと、このロックレバーを回動させる付勢手段と、この付勢手段により回動されるロックレバーを前記保護板の回動を拘束する略水平位置に規制する手段とを有する拘束手段と、前記ピット内に設けられ前記かごの底板がピット内の所定の位置より降下すると前記略水平位置にあるロックレバーの他端部に当接して該ロックレバーを前記付勢方向と反対方向に回動させて前記保護板の拘束を解除する拘束解除手段とにより構成されていることを特徴する。
また、請求項２に係る発明は、エレベータのかごの底板の正面側の下面に、下方に突出する状態で保護板を設けたエレベータの保護板装置において、前記かごがピット内で降下すると、前記保護板の高さ寸法が小さくなる縮小手段を設けたエレベータの保護板装置であって、前記保護板は固定板と可動板で構成されており、前記縮小手段は、前記固定板と、前記固定板の後面側に位置する固定フレームと、前記ピットの床面により突き上げられると前記固定フレーム側に移動する可動フレームとからなる伸縮フレームと、下端が前記可動フレームの下端より高い位置に取付けられている前記可動板とにより構成されていることを特徴とする。
【０００８】
【発明の実施の形態】
以下、本発明によるエレベータの保護板装置の実施の形態を説明する。
【０００９】
（ａ）実施の形態１
まず、実施の形態１を図１に基づいて説明する。この実施の形態は、保護板を鉛直方向に沿って伸縮自在な構成にすることにより、ピット内で上方への力が加わると保護板が縮んで高さ寸法が小さくなるようにしたものである。
【００１０】
図１のように、かごを構成する底板６における階床１２側には、固定板７ａと可動板７ｂとから構成される保護板７が設けられている。固定板７ａの上部は図示しないネジにより底板６に結合され、固定板７ａの下部は一対の補強材８を介して支持されている。つまり、夫々の補強材８の一端が底板６の下面に固着され、補強材８の他端が固定板７ａの下部に固着されている。固定板７ａの両側には一対のガイド部材９が固着されている。ガイド部材９は水平面と平行な面で切断したときの断面形状がＬ字形であり、固定板７ａとガイド部材９との間に可動部材７ｂの両端が挿通されて縮小手段を構成している。
【００１１】
可動部材７ｂの動きが一対の補強材８の存在によって妨げられないように、一対の補強材８と対応する位置には長孔１０が夫々形成され、長孔１０に補強材８が挿通されている。可動部材７ｂの上端には、可動部材７ｂが抜け落ちるのを防止するためのストッパ部１１が形成され、下端は内側へ向かって適切な角度だけ曲げられている。
【００１２】
図において、１２は最下階の階床であり、１３はピットである。
【００１３】
次に、斯かるエレベータの保護板装置の作用を説明する。通常の状態では可動板７ｂが自重で下がってストッパ１１がガイド部材９に当たって止まっている。このため、保護板７は、階床１２と底板６との間につま先が挟まれる事故を防止するという本来の作用をする。万が一、ピット１３の深さが規定値よりも小さい場合には、ピット１３の床面１３ａによって可動板７ｂが上方へ押されるため、固定板７ａに対して可動板７ｂが上動し、保護板７が収縮する。このため、保護板７が床面１３ａに衝突することによる破損が防止される。
【００１４】
（ｂ）実施の形態２
次に、実施の形態２を図２に基づいて説明する。この実施の形態は、保護板を内側へ向かって回動する構成にすることにより、ピット内で上方への力が加わると保護板が高さ方向へ小さくなるようにしたものである。
【００１５】
図２のように、かごを構成する床板６における乗場側には、固定板１５ａと回動板１５ｂとから構成される保護板１５が設けられている。固定板１５ａの上部は前記の場合と同様に床板６に固着され、回動板１５ｂが一対の回動軸１６を中心として固定板１５ａに回動自在に取り付けられることにより縮小手段を構成する。即ち、固定板１５ａの両側には下方へ突出する軸受部１７が形成される一方、回動板１５ｂの上部両側には軸受部１８が形成され、軸受部１７，１８が回動軸１６を介して回動自在になっている。
【００１６】
回動軸１６を中心とする回動板１５ｂの図２（ｂ）中の反時計方向への回動は、回動板１５ｂの上端面が固定板１５ａの下端面に当接して固定板１５ａと回動板１５ｂとが同一平面を形成する状態で停止する。一方、反時計方向への回動は、拘束手段により拘束されている。以下に拘束手段について説明する。底板６における保護板１５の両側には、一対の支柱１９が下方へ向かって突出する状態で設けられている。夫々の支柱１９の下端には、階床１２へ向かって突出する回動軸２０が回動自在に設けられ、回動軸２０には拘束手段としてのロックレバー２１が取り付けられている。ロックレバー２１を図２（ａ）において時計方向へ付勢する図示しないバネが設けられる一方、（イ）の位置でロックレバー２１の回動を止める図示しないストッパが設けられている。
【００１７】
通常はロックレバー２１は（イ）で示すように水平状態となって回動板１５ｂの回動を拘束するが、ピット１３内のある位置よりも底板６が降下すると拘束を解除する解除手段がピット１３内に設けられる。即ち、解除手段としての一対のＬ字形の解除ブラケット２２がピット１３における階床１２側に設けられる。解除ブラケット２２の下端は床面１３ａに固着され、上部端は側壁に固着されている。
【００１８】
次に、斯かるエレベータの保護板装置の作用を説明する。通常の状態では、回動板１５ｂが自重により垂れ下がり、図示しないバネの作用によってロックレバー２１が（イ）で示す水平状態となって回動板１５（ｂ）が図２（ｂ）の（ハ）の位置から（ニ）の位置へ回動することはない。このため、回動板１５は本来の作用を行う。万が一、ピット１３の深さが規定値よりも小さい場合には、ロックレバー２１が解除ブラケット２２によって上方へ押されるため、水平状態の（イ）の位置を占めていたロックレバー２１が図示しないバネの付勢力に抗して（ロ）の位置まで回動して鉛直状態になり、回動板１５ｂの拘束が解除される。このため、回動板１５ｂの下端が床面１３ａに当接すると、傾斜する回動板１５ｂの下部の端には水平方向への力が加わり、回動板１５ｂは（ニ）で示す方向へ逃げる。このため、保護板１５が床面１３ａに衝突することによる破損が防止される。
【００１９】
一方、かごと共に底板６が再び上昇すると、解除ブラケット２２がロックレバー２１から離れる。このため、図示しないバネの付勢力によりロックレバー２１が（イ）の水平状態に戻り、本来の作用が行える状態に戻る。
【００２０】
（ｃ）実施の形態３
次に、実施の形態３を図４に基づいて説明する。この実施の形態は、保護板を鉛直方向に沿って伸縮自在な構成のフレームに取り付けることにより、ピット内で上方への力が加わるとフレームが縮んで高さ寸法が小さくなるようにしたものである。
【００２１】
図４のように、かごを構成する底板６における下部には、固定フレーム２４ａと可動フレーム２４ｂとから構成される伸縮フレーム２４が設けられ、階床１２側には、底板６に結合された固定板２３ａと可動フレーム２４ｂに結合された可動板２３ｂからなる保護板２３が設けられている。可動板２３ｂの下端は可動フレーム２４ｂの下端より高い位置にある。
【００２２】
固定フレーム２４ａにはピン２６が取り付けられ、可動フレーム２４ｂの長孔２５に挿通することにより伸縮出来る構造となっている。
【００２３】
次に、斯かるエレベータの保護板装置の作用を説明する。通常の状態では可動フレーム２４ｂが自重で下がっていて長孔２５の上端部にピン２６が当たって止まっている。このため保護板２３は本来の作用を行う。万が一、ピット１３の深さが既定値よりも小さい場合には、ピット１３の床面１３ａによって可動フレーム２４ｂが上方に押されるため、可動フレーム２４ｂに結合された可動板２３ｂが共に上動し、伸縮フレーム２４が収縮する。このため、保護板２３が床面に衝突することなく破損が防止される。
【００２４】
【発明の効果】
以上の説明からわかるように、請求項１に係るエレベータの保護板装置によれば、かごの底板がピット内の所定の位置より降下すると保護板の拘束が解除され、保護板の下端がピットの床面に当たると、保護板の高さ寸法が小さくなる。また、請求項２に係るエレベータの保護板装置によれば、保護板の下端がピットの床面に当たることなく保護板の高さ寸法が小さくなるので、万が一、ピットの深さが既定値に満たない場合であっても保護板がピット床面とかごとの間に挟まれて圧縮することはなく、保護板の破損が防止される。
【図面の簡単な説明】
【図１】本発明によるエレベータの保護板装置の実施の形態１に係り、（ａ）は正面図（ｂ）は右側面図。
【図２】本発明によるエレベータの保護板装置の実施の形態２に係り、（ａ）は正面図（ｂ）は右側面図。
【図３】従来のエレベータを示す斜視図。
【図４】本発明によるエレベータの保護板装置の実施形態３に係り、（ａ）は正面図、（ｂ）は右側面図。
【符号の説明】
１…かご
７…保護板
７ａ…固定板
７ｂ…可動板
【図１】
0003921099.tif 000002
【図２】
0003921099.tif 000003
【図３】
0003921099.tif 000004
【図４】
0003921099.tif 000005